(57)【要約】【課題】キャビン内側に小物を出し入れしやすくなるように小物収納空間を設けて、この小物収納空間の取扱性を向上させる。【解決手段】運転操作部を覆うキャビン２８を備えたトラクタ１において、前記運転操作部の座席２５側方に前記キャビン２８の一部を構成するサイドフレーム３３を上下方向に配置して、該サイドフレーム３３にカバー体５０Ｌ・５０Ｒをキャビン２８内側から座席２５に面するように被装し、該カバー体５０Ｌ・５０Ｒに小物を収納するための小物収納空間５８を設けた。【選択図】図２
2008143433.tif 000002
【特許請求の範囲】
【請求項１】
運転操作部を覆うキャビンを備えたトラクタにおいて、前記運転操作部の座席側方に前記キャビンの一部を構成するサイドフレームを上下方向に配置して、該サイドフレームにカバー体をキャビン内側から座席に面するように被装し、該カバー体に小物を収納するための小物収納空間を設けたことを特徴とするトラクタ。
【請求項２】
前記運転操作部の座席側方に操作手段を配置するとともに、該座席側方に位置する操作手段よりも上方に位置するカバー体部分に、該座席側に突出する突出部を形成し、該突出部に前記小物収納空間を設けたことを特徴とする請求項１に記載のトラクタ。
【請求項３】
前記突出部をキャビン内側に向かうにつれて低くなる傾斜状に形成したことを特徴とする請求項２に記載のトラクタ。
【発明の詳細な説明】
【技術分野】
【０００１】
本発明は、運転操作部を覆うキャビンを備えたトラクタに関する。
【背景技術】
【０００２】
従来、運転操作部を覆うキャビンを備えたトラクタにおいて、座席の周囲に小物を収納するための小物収納空間を設けたものは公知となっている。このようなトラクタは、たとえば特許文献１に示されるように、キャビンのリアフレーム下端面を支持する座金の面積を当該リアフレームの面積よりも広くして、その一部をキャビン内側に突出させ、この座金のキャビン内側部分に収納孔を形成することで、小物収納空間として皿形状のカップホルダを設けていた。
【特許文献１】特開２００３−２６７２７３号公報
【発明の開示】
【発明が解決しようとする課題】
【０００３】
しかしながら、従来のトラクタでは、前記カップホルダなどの小物収納空間がキャビン内側で座席の背凭れ部よりも後方に位置するように設けられていたことから、小物収納空間に小物を入れて収納したり、小物収納空間から小物を取り出したりする際に、オペレータは座席に着座した状態では、体を大きく捻らなければ小物の出し入れを行うことができなかった。そのため、小物収納空間の取扱性が悪いという不具合が生じていた。
【課題を解決するための手段】
【０００４】
本発明の解決しようとする課題は以上の如くであり、次にこの課題を解決するための手段を説明する。
【０００５】
即ち、請求項１においては、運転操作部を覆うキャビンを備えたトラクタにおいて、前記運転操作部の座席側方に前記キャビンの一部を構成するサイドフレームを上下方向に配置して、該サイドフレームにカバー体をキャビン内側から座席に面するように被装し、該カバー体に小物を収納するための小物収納空間を設けたものである。
【０００６】
請求項２においては、前記運転操作部の座席側方に操作手段を配置するとともに、該座席側方に位置する操作手段よりも上方に位置するカバー体部分に、該座席側に突出する突出部を形成し、該突出部に前記小物収納空間を設けたものである。
【０００７】
請求項３においては、前記突出部をキャビン内側に向かうにつれて低くなる傾斜状に形成したものである。
【発明の効果】
【０００８】
本発明の効果として、以下に示すような効果を奏する。
【０００９】
請求項１においては、小物収納空間が座席側方に位置することになり、小物を小物収納空間に入れて収納したり、小物収納空間から取り出したりする際に、オペレータは座席に着座した状態でも、体を大きく捻ることなく小物を簡単に出し入れすることができるとともに、収納した小物を容易に利用することができる。これにより、小物収納空間および当該小物収納空間に収納した小物の取扱性を向上させることができる。
【００１０】
請求項２においては、小物収納空間を備えた突出部が座席の周囲に配置したトラクタの各装置の操作手段よりも上方に位置することになり、オペレータが操作手段を用いて変速操作などの操作を行う際に、突出部または小物収納空間に収納した小物がオペレータの操作に支障を来すことがない。
【００１１】
請求項３においては、小物収納空間を備えた突出部が座席に着座したオペレータに近づくにつれて低くなるため、小物収納空間に収納した小物を更に出し入れしやすく、またその収納した小物を更に利用しやすくなり、小物収納空間および当該小物収納空間に収納した小物の取扱性を一層向上させることができる。
【発明を実施するための最良の形態】
【００１２】
次に、発明の実施の形態を説明する。
【００１３】
図１は本発明の一実施例に係るトラクタの全体構成を示した側面図、図２は運転操作部の後側の構成を示した平面図、図３は左カバー体の一部断面正面図、図４は左カバー体の側面図、図５は左カバー体の一部断面平面図、図６は右カバー体の一部断面正面図、図７は右カバー体の側面図、図８は右カバー体の一部断面正面図である。
【００１４】
図１、図２に示すように、トラクタ１においては、走行機体２が機体フレーム３の前部にエンジン４を搭載し、後部にトランスミッションのミッションケース５を固設し、このエンジン４とミッションケース５との間にクラッチハウジング６などを介装して、これらを連結することで構成されている。そして、走行機体２は前部にフロントアクスルケース（図示せず）を介して左右一対の前車輪１１を支持し、後部にリアアクスルケース１９を介して左右一対の後車輪１２を支持して、後車輪１２もしくは前後の両車輪１２をエンジン４で駆動させることにより、前進または後進走行可能とされている。
【００１５】
走行機体２では、機体フレーム３の前部にエンジン４を覆うボンネット１５が設けられ、機体フレーム３の後部に配設されたステップフレーム１８上に、ミッションケース５等を被覆するステップ１６と泥土や埃などがオペレータ側に侵入するのを防止するためのダストカバー１７とが設けられている。このステップフレーム１８は機体フレーム３の後部からミッションケース５の後端部付近まで後上方へ湾曲しながら延びるように設けられており、前部で機体フレーム３に支持され、後部でミッションケース５の左右両側に設けられたリアアクスルケース１９に支持されている。
【００１６】
ステップ１６の前部にはダッシュボード２１が設けられ、該ダッシュボード２１の後方に前車輪１１を操舵するためのステアリングハンドル２２が配設されている。図２に示すように、ダストカバー１７の中央部上には座席２５が配設され、その左右両側部には後車輪１２を覆うフェンダ２６が配設されて、ステップフレーム１８に連結されている。そして、ステアリングハンドル２２や座席２５などを被覆するキャビン２８がボンネット１５の後方に設けられて、該キャビン２８内側に運転操作部が構成されている。
【００１７】
キャビン２８においては、左右のフロントフレーム３１がステップフレーム１８の前端部から立設され、左右のリアフレーム３２がダストカバー１７の後端部から立設され、左右のサイドフレーム３３がフロントフレーム３１とリアフレーム３２との間において、それぞれ左右のフェンダ２６の前後中途部から上方へ延びるように立設されている。また、ルーフフレーム３４が各フレーム３１・３２・３３の上端部を連結するように設けられて、これらのフレーム３１・３２・３３とルーフフレーム３４とで、キャビンフレームが運転操作部の周囲にかたちづくられている。
【００１８】
そして、このように形成されるキャビンフレームのうち、左右のフロントフレーム３１の間にフロントガラス３５が設けられ、左右のリアフレーム３２の間にリアガラス３６が設けられ、フロントフレーム３１とサイドフレーム３３との間に左右のオペレータ乗降用のサイドガラス３７が設けられ、サイドフレーム３３とリアフレーム３２との間に左右のリアサイドガラス３８が設けられ、さらに各フレーム３１・３２・３３上のルーフフレーム３４にルーフ３９が設けられて、キャビン２８が構成されている。このサイドガラス３７とリアサイドガラス３８とは後端部でそれぞれサイドフレーム３３とリアフレーム３２にヒンジ４１・４２を介して取り付けられて、機体側方へ開閉可能とされている。
【００１９】
キャビン２８の内側においては、図１に示すように、前部にダッシュボード２１とステアリングハンドル２２とが配置され、後部に座席２５が配置されている。また、図２に示すように、座席２５と左右の各フェンダ２６との間には操作手段配置部４５Ｌ・４５Ｒが設けられ、該操作手段配置部４５Ｌ・４５Ｒにトラクタ１各部の装置を操作するためのレバーやスイッチなどの操作手段が配置されている。この操作手段としては、たとえば主変速レバー４６や副変速レバー４７やＰＴＯ変速レバー４８や作業機昇降レバー４９などがあり、これらは操作手段配置部４５Ｌ・４５Ｒから上方に突出するように設けられている。また操作手段としては、作業機の傾斜設定スイッチや感度調節ダイヤルなどもあり、これらは右側の操作手段配置部４５Ｒ上に配置された操作ボックス５１に集約して設けられている。
【００２０】
また、図３乃至図８に示すように、座席２５の側方において、左右のフェンダ２６上面の外側寄りにサイドフレーム３３が立設され、該サイドフレーム３３の内側にカバー体５０Ｌ・５０Ｒがそれぞれ被装されている。左右の各カバー体５０Ｌ・５０Ｒは、フェンダ２６とルーフフレーム３４との間でサイドフレーム３３を被覆することができる縦および横幅をもって上下方向に延びるように構成されている。
【００２１】
そして、カバー体５０Ｌ・５０Ｒは、図５および図８に示すように、平面断面視略凹形に形成されて、同じく平面断面視略凹形に形成されたサイドフレーム３３と互いに開放側を対向させるように配置され、当該カバー体５０Ｌ・５０Ｒの両側をサイドフレーム３３の外側となるように若干重複させた状態で、該サイドフレーム３３にキャビン２８内側から締結具５３にて固定されている。このようにカバー体５０Ｌ・５０Ｒとサイドフレーム３３とを固定することにより、互いの間には所定の空間５２が形成されている。
【００２２】
前記カバー体５０Ｌ・５０Ｒとサイドフレーム３３との空間５２には、パイプやハーネスなどが配置される構成となっており、たとえば図に示すように、ルーフ３９内に配置してルーフフレーム３４で支持した空調装置から延びる排水パイプ５６や、該空調装置から延びる電線を含むハーネス５７が挿通した状態に配置されている。このようにカバー体５０Ｌ・５０Ｒを利用して、キャビン２８の上下にわたって延設する必要がある各種パイプやハーネスなどの部材を、別途専用のカバー体を設けることなく、整然と収納することができるようになっている。
【００２３】
また、カバー体５０Ｌ・５０Ｒは座席２５側方に位置する前記操作手段よりも上方に位置する部分、ここでは下部に機体内側に突出する突出部５０Ｌａ・５０Ｒａを一体的に備え、該突出部５０Ｌａ・５０Ｒａに小物を収納するための小物収納空間５８を設けることができるように構成されている。このカバー体５０Ｌ・５０Ｒの突出部５０Ｌａ・５０Ｒａは、カバー体５０Ｌ・５０Ｒの上部から略同じ横幅のまま上側から下側に向かうにつれてキャビン２８内側に突出するように、言い換えれば、座席２５側に突出するつれて低くなるように、上面がキャビン２８内側上方を向く傾斜状に形成されている。また、突出部５０Ｌａ・５０Ｒａはフェンダ２６上の空間を有効に利用して、座席２５側に出っ張らずにオペレータが引っかからないように、カバー体５０Ｌ・５０Ｒの内側の側面とフェンダ２６の上面内側端との間に形成されている。
【００２４】
そして、突出部５０Ｌａ・５０Ｒａの上面すなわち傾斜面に収納孔５０Ｌｂ・５０Ｒｂが上下方向に形成されて、この収納孔５０Ｌｂ・５０Ｒｂ内側の空間が小物収納空間５８とされている。この小物収納空間５８は座席２５、特に背凭れ部２５ａではなく着座部２５ｂの略真横で、着座部２５ｂの座面や操作手段配置部４５Ｌ・４５Ｒよりも高い位置に配置され、収納したい小物の種類に応じた形状に収納孔を形成することにより、小物を出し入れが容易にでき、適宜収納することができるように構成されている。
【００２５】
突出部５０Ｌａ・５０Ｒａの小物収納空間５８に収納する小物としては、たとえばカップ６０やペットボトルや飲料用缶や灰皿６１などがあり、本実施例では、一方の左側カバー体５０Ｌの突出部５０Ｌａに、カップ６０を収納することができる小物収納空間５８が設けられ、他方の右側カバー体５０Ｒの突出部５０Ｒａに、灰皿６１を収納することができる小物収納空間５８が設けられている。但し、小物収納空間５８に収納する小物はカップ６０や灰皿６１に限定するものではない。
【００２６】
すなわち、図３乃至図５に示すように、一方のカバー体５０Ｌでは、突出部５０Ｌａの傾斜面に所定径を有する円形の収納孔５０Ｌｂが形成され、該収納孔５０Ｌｂの内側空間がカップ６０を収納することができる小物収納空間５８とされている。この小物収納空間５８は、収納孔５０Ｌｂから嵌入されたカップ６０の下部を収納することができるように、また収納したカップ６０の下部を収納孔５０Ｌｂから取り出すことができるようにカップホルダとして構成され、カップ６０を保持することができるようになっている。また、収納孔５０Ｌｂの縁部には小物収納空間５８へ延びるガイド部５０Ｌｃが形成され、カップ６０を案内できるようになっている。
【００２７】
図６乃至図８に示すように、他方のカバー体５０Ｒでは、突出部５０Ｒａの傾斜面に所定幅を有する矩形の収納孔５０Ｒｂが形成され、該収納孔５０Ｒｂの内側空間が灰皿６１を収納することができる小物収納空間５８とされている。この小物収納空間５８は、収納孔５０Ｒｂから嵌入した灰皿６１を傾斜面付近に位置するように収納することができるように、また収納した灰皿６１を収納孔５０Ｒｂから取り出すことができるように構成され、灰皿６１にタバコの灰が溜まると、これを収納孔５０Ｒｂから取り出して空にすることもできるようになっている。
【００２８】
なお、カバー体５０Ｌ・５０Ｒにおいては、その突出部５０Ｌａ・５０Ｒａに形成した収納孔５０Ｌｂ・５０Ｒｂの内側空間に、灰皿６１の代わりに受皿を収納して、その他の小物を出し入れするようにしたり、突出部５０Ｌａ・５０Ｒａに収納孔５０Ｌｂ・５０Ｒｂを形成する代わりに凹部を一体的に形成して、その内側空間を小物収納空間とし、受皿を収納することなく、この小物収納空間に直接小物を出し入れ可能に収納することもでき、その上面に蓋体を配置することもできる。
【００２９】
以上のように、運転操作部を覆うキャビン２８を備えたトラクタ１において、前記運転操作部の座席２５側方に前記キャビン２８の一部を構成するサイドフレーム３３を上下方向に配置して、該サイドフレーム３３にカバー体５０Ｌ・５０Ｒをキャビン２８内側から座席２５に面するように被装し、該カバー体５０Ｌ・５０Ｒに小物を収納するための小物収納空間５８を設けたので、該小物収納空間５８が座席２５側方に位置することになり、小物を小物収納空間５８に入れて収納したり、小物収納空間から取り出したりする際に、オペレータは座席２５に着座した状態でも、体を大きく捻ることなく小物たとえばカップ６０を簡単に出し入れすることができるとともに、収納した小物たとえば灰皿６１を容易に利用することができる。これにより、小物収納空間５８および当該小物収納空間に収納した小物の取扱性を向上させることができる。
【００３０】
また、前記運転操作部の座席２５側方に主変速レバー４６や副変速レバー４７などの操作手段を配置するとともに、該座席２５側方に位置する操作手段よりも上方に位置するカバー体５０Ｌ・５０Ｒ部分に、該座席２５側に突出する突出部５０Ｌａ・５０Ｒａを形成し、該突出部５０Ｌａ・５０Ｒａに前記小物収納空間５８を設けたので、該小物収納空間５８を備えた突出部５０Ｌａ・５０Ｒａが座席２５の周囲に配置したトラクタ１の各装置の操作手段よりも上方に位置することになり、オペレータが操作手段を用いて変速操作などの操作を行う際に、突出部５０Ｌａ・５０Ｒａまたは小物収納空間５８に収納した小物がオペレータの操作に支障を来すことがない。
【００３１】
前記突出部５０Ｌａ・５０Ｒａをキャビン２８内側に向かうにつれて低くなる傾斜状に形成したので、該突出部５０Ｌａ・５０Ｒａが座席２５に着座したオペレータに近づくにつれて低くなるため、小物収納空間５８に収納した小物を更に出し入れしやすく、またその収納した小物を更に利用しやすくなり、小物収納空間５８および当該小物収納空間５８に収納した小物の取扱性を一層向上させることができる。
【図面の簡単な説明】
【００３２】
【図１】本発明の一実施例に係るトラクタの全体構成を示した側面図。
【図２】運転操作部の後側の構成を示した平面図。
【図３】左カバー体の一部断面正面図。
【図４】左カバー体の側面図。
【図５】左カバー体の一部断面平面図。
【図６】右カバー体の一部断面正面図。
【図７】右カバー体の側面図。
【図８】右カバー体の一部断面正面図。
【符号の説明】
【００３３】
１        トラクタ
２５      座席
２８      キャビン
５０Ｌ    カバー体
５０Ｒ    カバー体
５０Ｌａ  突出部
５０Ｒａ  突出部
５８      収納空間
【図１】
2008143433.tif 000003
【図２】
2008143433.tif 000004
【図３】
2008143433.tif 000005
【図４】
2008143433.tif 000006
【図５】
2008143433.tif 000007
【図６】
2008143433.tif 000008
【図７】
2008143433.tif 000009
【図８】
2008143433.tif 000010